(57)【特許請求の範囲】
【請求項１】
巻き上げ機を備えた機械室の床に乗りかごおよびつり合い錘を吊架するロープが通過する貫通穴が設けられ、この貫通穴部分に配置された消音装置において、
前記消音装置は前記ロープを囲み、前記巻上げ装置側から入り口管、この入り口管に接続され入り口管よりも前記ロープにそう方向を垂直とする断面積の大きな膨張管およびこの膨張管に接続されこの膨張管よりも前記ロープにそう方向を垂直とする断面積の小さな尾管からなり、前記膨張管、入り口管、尾管の断面積をＳ１、Ｓ２、Ｓ３とすると、
Ｓ１／Ｓ２≧２．０かつＳ１／Ｓ３≧２．０
であり、前記膨張管の前記ロープにそう方向の長さが前記貫通穴を伝播する音波のうち消音すべき周波数の音波の１／４波長の奇数倍長を有し、
前記貫通穴の内部を伝播する２つの異なる主なる所定周波数の音波をカットする膨張管を２段組み合わせて連結させて、
前記膨張管が長辺と短辺を持ち高さ方向に前記ロープが貫通する直方体でなり、前記２段の膨張管の長辺が相互に直交するように配列されてなること、
を特徴とするエレベータの消音装置。
【請求項２】
巻き上げ機を備えた機械室の床に乗りかごおよびつり合い錘を吊架するロープが通過する貫通穴が設けられ、この貫通穴部分に配置された消音装置において、
前記消音装置は前記ロープを囲み、前記巻上げ装置側から入り口管、この入り口管に接続され入り口管よりも前記ロープにそう方向を垂直とする断面積の大きな膨張管およびこの膨張管に接続されこの膨張管よりも前記ロープにそう方向を垂直とする断面積の小さな尾管からなり、前記膨張管、入り口管、尾管の断面積をＳ１、Ｓ２、Ｓ３とすると、
Ｓ１／Ｓ２≧２．０かつＳ１／Ｓ３≧２．０
であり、前記膨張管の前記ロープにそう方向の長さが前記貫通穴を伝播する音波のうち消音すべき周波数の音波の１／４波長の奇数倍長を有し、
前記貫通穴の内部を伝播する２つの異なる主なる所定周波数の音波をカットする膨張管を２段組み合わせて連結させて、
前記２段の膨張管が縦、横同寸法で高さ方向に前記ロープが貫通する立方体でなり、各膨張管の角部が相互に高さ方向に重ならないように配置されてなること、
を特徴とするエレベータの消音装置。
【請求項３】
前記入り口管および尾管のうち少なくとも尾管の長さが消音すべき周波数の音波の１／２波長の奇数倍長を有することを特徴とする請求項１または２記載のエレベータの消音装置。
【発明の詳細な説明】
【０００１】
【発明の属する技術分野】
この発明はロープ巻き上げエレベータの消音装置に関し、とくに機械室床の貫通穴から昇降路側に漏れる音の消音装置に係わる。
【０００２】
【従来の技術】
一般にロープ巻き上げエレベータ（リフトを含む）は昇降路の上階に、巻き上げ機を備えた機械室を設けて、この巻き上げ機に巻かれ機械室床の貫通穴を通して昇降路に貫通する主ロープによって、乗りかごおよび釣りあい錘を吊架し人荷を上下方向に運搬する。貫通穴の寸法は運行中のロープの揺れによっても接触しないように決められ、主ロープが７索の場合、例えば３０ｃｍ×３８ｃｍである。
【０００３】
巻き上げ機はモータ、シーブ、ブレーキなどを備えており、駆動時に発する音が機械室床の貫通穴を通して昇降路内に伝播し、乗りかごや各階ホールに漏れて騒音になる。
【０００４】
このような貫通穴からの音漏れを防ぐために、貫通穴に消音ダクトを取り付ける方法が提案されている（実開昭５７−１０６６７０号公報）。図２１（ａ）に示すように、消音ダクト１００は主ロープ１０１を取り巻き、ロープ１０１の揺動の振れ幅を許す必要最低限の間隔を置いて取付けられた吸音材１０２が設けられ、昇降路、乗りかごおよびエレベータホールに騒音が漏れないようにしている。
【０００５】
さらに、このダクトにヘルムホルツの共鳴を利用した共鳴形共振器を取付ける方法が提案されている。図２１（ｂ）に示すようにダクト１００の途中に空洞１０３およびダクトに通じる孔１０４を設けたもので、巻き上げ機から発生する４ｋＨｚのインバータのキャリア周波数による騒音を防止しようとするものである。
【０００６】
【発明が解決しようとする課題】
前記消音ダクト１００は、内壁にグラスウールやロックウールなどの多孔質吸音材を貼り付けて吸音する効果に頼るために図２２（a）に示すように５００Hz以上の中、高周波数程度の騒音低減に効果があるが、低周波数の騒音にあまり効果がない。消音ダクトの減衰量ＴＬ（ｄＢ）および最大減衰量の消音周波数ｆ（Ｈｚ）を式（１）と式（２）に示す。
【０００７】
ＴＬ≒  （α−０．１）Ｐｌ／Ｓ…（１）
ｆ＝ｃ／Ｄ                    …（２）
ここで、α：吸音材の吸音率、Ｐ：消音ダクトの周囲長、Ｓ：消音ダクトの断面積、l：消音ダクトの長さ、Ｃ：音速、Ｄ：消音ダクト断面寸法（直径または短辺の長さ）で  メートル（m）単位である。
【０００８】
式（１）で減衰量は、吸音率αに比例して大きくなるが、実際のダクトの減衰量特性は、図２２（a）に示すように５００Hz以下では１dBと小さい。また、式（２）からダクトの一辺の長さＤが音波の波長λ／２、およびλに等しいとき、図２２（b）に示すように吸音材１０２を貼った部分で音波の振動が大きくなるため、図２２（a）に示すように、１８００Hzあたりの減音しか効果がない。さらに式（１）からわかるように、消音ダクトの長さによって減衰がきまるため、消音ダクトの長さｌが１ｍであっても２．５ｄＢの低減しかできない。実際には消音ダクトの長さは機械室床に巻き上げ機を設置する台があるため、５０ｃｍ程度が限界であり、１．２dB程度の減衰となり減音効果は小さい。このため、ダクトでは低周波数の減音に効果が小さい。
【０００９】
さらに上記したダクトに共振器を取付けた構造では４ｋＨｚのキャリア周波数による騒音を防止に用いている。図２２（ｂ）に示すような共振器の空洞１０３の容積をＶ、孔１０４の断面積をＳ、孔１０４の長さをＬ４、共鳴周波数をｆ４、音速をｃ、孔の開口端の補正値δとして、式（３）に示す。
【００１０】
ｆ４＝ｃ／２π（Ｓ／Ｖ（１＋δ））１／２    …（３）
上記の関係式（３）における共鳴周波数ｆ４（キャリア周波数４ｋＨｚ）に対して各部の寸法を適切に設定しておけば、ダクト１００と孔１０４内の音に対して、孔１０４の部分の空気は激しく振動して摩擦によってキャリア周波数４ｋＨの音と共鳴して音を吸収する。
【００１１】
しかし、ダクト１００を取付ける機械室においては、モータを運転する昼間とモータがあまり稼動しない朝方では気温ｔが40℃以上の差がある場合があり、下式（４）からわかるように音速ｃが１０％も変わるために、共鳴周波数が１０％外れることになる。
【００１２】
ｃ＝３３１．５＋０．６ｔ  …（４）
したがって、ある設定温度では、騒音低減に効果的であるが、それ以外の温度では、図2３に示すように共鳴型の消音周波数特性は著しく変化することから、共鳴周波数ｆ４が１０％外れた周波数では、騒音低減が急速に劣る欠点がある。またこの周波数以外の低減効果は低い。
【００１３】
以上の構成によっても、貫通穴から漏れる騒音を完全に防止することは難しいため、巻き上げ機内のモータのケーシングに吸音材を巻き付けたり、モータ支持部に吸音材を取付け、さらに巻き上げ機のメインシーブの全体を防音ケースで取り囲むようにしている。巻き上げ機自体に防音カバーなどの防音手段を施す場合は、装置を必要以上に大型化することになり、さらに防音カバー内の熱対策として冷却装置を設置するなどして、機械室の有効スペースを狭くするばかりか、エレベータ製造コストの増大を招くことになる。
【００１４】
本発明は上記不都合を解消するもので、機械室で発生し貫通穴を通して昇降路側に伝播する騒音を、貫通穴部分で有効に遮断するエレベータの消音装置を提供するものである。
【００１５】
【課題を解決するための手段】
本発明の第１は、巻き上げ機を備えた機械室の床に乗りかごおよびつり合い錘を吊架するロープが通過する貫通穴が設けられ、この貫通穴部分に配置された消音装置において、
前記消音装置は前記ロープを囲み、前記巻上げ装置側から入り口管、この入り口管に接続され入り口管よりも断面積の大きな膨張管およびこの膨張管に接続されこの膨張管よりも断面積の小さな尾管からなり、前記膨張管、入り口管、尾管の断面積をS１、S２、S３とすると、Ｓ１／Ｓ２≧２．０かつＳ１／Ｓ３≧２．０であり、前記膨張管の前記ロープにそう方向の長さが前記貫通穴を伝播する音波のうち消音すべき周波数の音波の１／４波長の奇数倍長を有することを特徴とするエレベータの消音装置にある。ここに各管の断面積はロープにそう方向を垂直とする面（横断面）の各管の内壁が囲む断面積をいう。さらに、貫通穴の内部を伝播する２つの異なる主なる所定周波数の音波をカットする膨張管を２段組み合わせて連結させて、膨張管が長辺と短辺をもち高さ方向にロープが貫通する直方体でなり、２段の膨張管の長辺が相互に直交するように配列されてなる。
【００１６】
これにより管部の一部に膨張管を形成して急膨張、急収縮させ音を干渉させて減音することができる。この減音周波数は膨張管の長さによって周波数が調整できることから、騒音を発生する周波数に合わせることができ、騒音を効果的に低減することができ、機械室からの音漏れが低減される。さらに、減音する特定の周波数が２つ調整できて、機械室からの音漏れをさらに低減できる。さらに、膨張管を直方体にして長辺を十文字に交差させることで、長辺を一致させるよりも音波が管路内を通過するときの音波の干渉を効果よくすることができ、所定周波数を所望に低減する。
【００１７】
本発明の第２は、巻き上げ機を備えた機械室の床に乗りかごおよびつり合い錘を吊架するロープが通過する貫通穴が設けられ、この貫通穴部分に配置された消音装置において、
前記消音装置は前記ロープを囲み、前記巻上げ装置側から入り口管、この入り口管に接続され入り口管よりも断面積の大きな膨張管およびこの膨張管に接続されこの膨張管よりも断面積の小さな尾管からなり、前記膨張管、入り口管、尾管の断面積をS１、S２、S３とすると、Ｓ１／Ｓ２≧２．０かつＳ１／Ｓ３≧２．０であり、前記膨張管の前記ロープにそう方向の長さが前記貫通穴を伝播する音波のうち消音すべき周波数の音波の１／４波長の奇数倍長を有することを特徴とするエレベータの消音装置にある。ここに各管の断面積はロープにそう方向を垂直とする面（横断面）の各管の内壁が囲む断面積をいう。さらに、貫通穴の内部を伝播する２つの異なる主なる所定周波数の音波をカットする膨張管を２段組み合わせて連結させて、２段の膨張管が縦、横同寸法で高さ方向にロープが貫通する立方体でなり、各膨張管の角部が相互に高さ方向に重ならないように配置されるようにしたものである。
【００１８】
これにより管部の一部に膨張管を形成して急膨張、急収縮させ音を干渉させて減音することができる。この減音周波数は膨張管の長さによって周波数が調整できることから、騒音を発生する周波数に合わせることができ、騒音を効果的に低減することができ、機械室からの音漏れが低減される。さらに、減音する特定の周波数が２つ調整できて、機械室からの音漏れをさらに低減できる。さらに、２段の膨張管の角部を例えば相互に４５度となるようにして角部をずらせることにより、非対称性を緩和して通過する音波の干渉を高め消音量を増加させることができる。
【００１９】
本発明の第３は、前記入り口管および尾管のうち少なくとも尾管の長さが消音すべき周波数の音波の１／２波長の奇数倍長を有することを特徴とする。尾管の長さは、減音効果の周波数特性に影響を与え、長さが増すほどカット周波数が低周波側に移行して低周波域が低減される。長さが音波の１／２波長のとき最大の減音を示す。
【００２９】
【発明の実施の形態】
以下図面を参照して本発明の実施の形態を説明する。
【００３０】
図１乃至図６により本発明の第１実施の形態を説明する。図２（ａ）に示すように建物の最上階の機械室１０に設置される巻き上げ機１１、メインシーブ１２、減速機と調速機および電磁装置等を有する制御装置１３、ダンパ装置１４、建物の各階を貫いて上下に長く設けられた昇降路１５内に位置するとともに、上記メインシーブ１２に巻き回された主ロープ１６の両端に取りつけられた上下に走行する乗りかご１７および釣り合い錘１８、その他乗りかご用及び釣り合い錘用ガイドレール（図示しない）により構成されている。符号２１，２２は各階ホールを示す。上記機械室１０の床１９には少なくとも２つの主ロープを貫通させる貫通穴２０が設けられ、メインシーブ１２に巻き回された主ロープ１６がこの貫通穴２０を介して乗りかご１７および釣り合い錘１８に固定されこれらを吊架している。この主ロープ１６は貫通穴２０を上下両方向に移動するときに、この貫通穴の中で多少の揺れが生じる。図２（ｂ）に示すように前記貫通穴２０の寸法は、一般的に用いられているロープの本数が６本から１２本の並列配列に対して、ロープ１６が通過する際のロープ１６の貫通穴の横方向の揺れによつてロープが接触しないように縦ａ、横ｂの寸法が決定される。例えば７本の本数で３０ｃｍ×３８ｃｍとする場合が多い。
【００３１】
図１に示すように、消音装置３０は、貫通穴２０から機械室１０内の音が外部に漏れないように貫通穴２０の内部を伝搬する所定の周波数の音波をカットする膨張管３１と、機械室からの音が入る入り口管３２および尾管３３をこの順序で連結した構造を有し、膨張管３１のロープにそう方向を垂直とする断面積をＳ１、入り口管３２のロープにそう方向を垂直とする断面積をＳ２、尾管３３のロープにそう方向を垂直とする断面積をＳ３とすると、ｍ＝Ｓ１／Ｓ２≧２．０かつｍ＝Ｓ１／Ｓ３≧２．０である膨張形消音装置である。ここでｍを膨張比とする。（Ｓ１、Ｓ２、Ｓ３はいずれも管内空間の主ロープにそう方向に対する横断面である。
【００３２】
この減音原理は、ロープ管路の一部を急膨張または急収縮させることにより音を干渉させて減音するものである。膨張管３１の主ロープにそう方向１６ａすなわち貫通穴軸方向の長さＬ１が貫通穴２０の内部を伝搬する所定の周波数の音波をカットする波長の１／４波長の奇数倍の長さとしている。
【００３３】
減音量ＴＬ（ｄＢ）は、下式（５）により求めることができる。
【００３４】
ＴＬ＝ｌｏｇ１０（１＋（１／４）（ｍ−１／ｍ）２sin２（ｋＬ１））…（５）
ここでｍ：膨張比、ｋ＝２πｆ／ｃ、ｆ：周波数、ｃ：音速である。
【００３５】
この膨張管３１の長さＬ１は以下の根拠に基づいて設定される。例えば巻き上げ機の騒音が２７０Ｈｚとすると、この周波数の波長λは音速ｃを３４０ｍ／secとするとき、次式（６）により求められる。
【００３６】
λ＝ｃ／ｆ…（６）
式（６）から、波長は２７０Ｈｚで１２６ｃｍとなる。そこで減衰量が最大値になるようにするには、波長λの１／４の奇数倍になるように設定するばよいので、次式（７）により求めることができる。
【００３７】
Ｌ１＝（ｃ／４ｆ）（２ｎ＋１）＝（１／４）×λ（２ｎ＋１）…（７）
ここに（ｎ＝０，１，２，…）
以上から、ｎ＝０のとき、Ｌ１は３１．５ｃｍとなる。
【００３８】
式（７）から減音効果のある周波数は、奇数倍の周期的なものとなる。巻き上げ機のモータ駆動用インバータ電源のキャリア周波数は４ｋＨｚであるが、この周波数に対しても奇数倍にあたるため騒音低減が可能である。
【００３９】
膨張比ｍをパラメータとしてその種々の値についての減音特性を図３および図４に示す。図３は横軸に周波数、縦軸に減音量（ｄＢ）を表し、図４は横軸に膨張比、縦軸に減音量（ｄＢ）を表す。この結果からｍ＝１．５では減音量が１．５ｄＢ程度と小さく、ｍ＝２．０であるとき、周期的な周波数のピーク２７０Ｈｚ、８１０Ｈｚ、１３５０Ｈｚ、…４０００Ｈｚ…で２．２ｄＢの減音効果が認められる。エレベータの機械室からの減音は２．０ｄＢ以上の減音量があると改善されると認識され、したがって膨張比ｍが２．０以上である必要がある。ｍは１２倍程度までが実用的である。
【００４０】
また、機械室設置での低減の確認として膨張比ｍ＝３において実験した結果を図５に示す。図は機械室内の巻き上げ機１１の騒音レベルｄＢを時間の変化として、機械室内で測定したものである。曲線ａは消音装置を設置しない場合でエレベータの運転である下降および上昇時の騒音レベルは５２ｄＢへ８２ｄＢを示している。図５（ｂ）は上記の運転中における騒音を周波数分析したものである。運転中のとき時刻歴における周波数の最大値をピークホールドしたもので、この結果によれば、２７０Ｈｚと４ｋＨｚに最大のピークが見られる。２７０Ｈｚは巻き上げ機から発生するもので、巻き上げ機の固有振動数と、インバータ電源の運転周波数である４５Ｈｚとその６倍の２７０Ｈｚと一致した共振による影響である。４ｋＨｚはインバータ電源のキャリア周波数であり、電源を投入したときに発生する時間高周波成分で、巻き上げ機のモータから発生したものである。
【００４１】
この騒音のデータは、巻き上げ機の容量の大きい機種のデータであるが、中小容量の巻き上げ機のモータから発生する騒音の周波数も、大容量と同じ傾向を示し、２５０Ｈｚ〜３００Ｈｚの中域周波数と４ｋＨｚ、８ＫＨｚの高周波数の範囲に顕著なスペクトル最大のピークが見られる。
【００４２】
図５（ａ）の曲線ｂに示すように、従来特性ａでは騒音のピークが８２ｄＢあったが、本実施の形態では特性ｂのように７５ｄＢまで低減することが認められた。図５（ｂ）に示す周波数分析結果においても、従来特性ａに対して特性ｂとなり、顕著な周波数である２７０Ｈｚと４ｋＨｚが５ｄＢ以上も低減としていることが確認された。次に、膨張管３１の形状は図６（ａ）に示すように、中空円柱とし、入り口管３２および尾管３３を貫通穴２０に沿う横断面矩形の中空角管としている。この場合、図６（ｂ）のように膨張管３１を中空直方体としてもよく、形状は種々に変形することが可能である。ただし、膨張比ｍ＝Ｓ１／Ｓ２≧２．０、かつｍ＝Ｓ１／Ｓ３≧２．０とする。
【００４３】
膨張管が円柱形状の場合は、入り口管の等価直径ｄ２を式（８）により求めることができる。
【００４４】
ｄ２＝（４×ａ２×ｂ２）１／２  …（８）
例えば貫通穴の寸法をａ２＝３０ｃｍ，ｂ２＝３８ｃｍとすると、
ｄ２＝（４×３０×３８／π）１／２≒３８．１
となり、ｍ＝２とすると、膨張管の直径を５３．８ｃｍ以上にすればよい。温度による特性変化は、図２３に示すような従来装置の減音特性と異なり、図３に示すように正弦波形状に減音するところから減音範囲の周波数幅に余裕が有り影響が小さい。
【００４５】
消音装置を構成する材料には本実施の形態では鋼板軟鋼材の２．３ｍｍ厚を用いた。材料はこれに限ること無くアルミニウムなどの他の金属、または合成樹脂などを用いることができる。
【００４６】
本実施の形態によれば、ロープが通過する管部を入り口管、膨張管、尾管で構成し、管部に膨張、収縮空間を形成するので、音が効率よく干渉しあい、特定の周波数について減衰させることができる。この減音周波数は膨張管のながさによって調整することができ、機械室から発生する音の周波数に合わせることができ、機械室から昇降路に漏れ出す音を低減する。
【００４７】
この実施の形態で入り口管と尾管のロープにそう方向の長さを同寸法にして説明したが、入り口管３２は膨張管の音波干渉作用を行わせるものであり、尾管よりも短くすることもできる。
【００４８】
本発明の第２実施の形態を図１および図７の特性に基づいて説明する。尾管３３の長さＬ３が、貫通穴２０の内部を伝搬する所定の周波数をカットする波長の１／２波長の奇数倍長を有する構成とする。
【００４９】
図７に示すように０．３波長（ａ）、０．５波長（１／２波長）（ｂ）、０．８波長（ｃ）を比較したものを示す。尾管長Ｌ３は、減音効果の周波数特性に影響を与え、長さが増すほど、カット周波数が低周波数側にシフトする。尾管を付けた方が、全体の消音効果が増すわけでなく、低周波数の方に低減効果が移行する。これも音波の波長が１／２波長のとき最も最大の減音を示し、騒音が効果的に低減し、次に尾管長Ｌ３を減衰値の最大になるようにするには、この実施の形態でＬ３を６３ｃｍにする。この長さは減音する中心の２７０Ｈｚの波長１／２であり、式（５）により求めることができる。
【００５０】
本発明の第３実施の形態を第８図および第９図に基づいて説明する。なお以下の実施の形態で図１と同符号の部分は同一部分を示す。貫通穴２０の内部を伝搬する主なる２つの異なる前記機械室で発生する騒音周波数の波長の長さと一致する波長の膨張管３４、３５を２段組み合わせ中間の尾管３３ａで連結させた構成の消音装置４０である。例えば、２７０Ｈｚと１０００Ｈｚの２つの特定周波数をカットしなければいけない場合に、適用でき、図８に示すように一方の膨張管３４の長さＬ１を２７０Ｈｚに対しては３１．５ｃｍとし、他方の膨張管３５の長さＬ１'は１０００Ｈｚに対して８．５ｃｍに設定する。図９のように減音する特定の周波数が２つ調整できて、総合した特性が得られ、機械室から発生する主な騒音周波数に合わせることができ、機械室からの騒音が低減される。
【００５１】
本発明の第４実施の形態を図１０に基づいて説明する。2段組み合わせエレベーター消音装置４０において、1つの膨張管３４を機械室１０の床１９上に設置し、他の膨張管３５を機械室の床１９下すなわち階下の天井に設置し、機械室の床１９を挟んで中間の尾管（膨張管３４の）３３ａで連結設置したことを構成とする。昇降路１５の天井と機械室１０内は、高さ方向に消音器を設置する場所が限られる。この構成により消音装置を設置する高さ方向のスペースが小さくできる。
【００５２】
本発明の第５実施の形態を図１１に基づいて説明する。膨張管の形状を直方体とした場合において、図８に示す２段連結膨張管３４、３５の直方体の長辺３４ｌ、３５ｌが図１１のように交差して互いに直角となるように十文字に設置したこと構成とする。これによれば、膨張比ｍによって音波を干渉させるものであるから、音波が管路内を通過するとき、２段膨張管の直方体の長辺が互いに一致させたものより、音波伝搬路としての非対象性が緩和でき、騒音が効果的に低減し、機械室からの漏れ音が低減される。
【００５３】
本発明の第６実施の形態を図１２に基づいて説明する。図８の膨張管の形状を立方体とした場合において、連結した２段の膨張管３４ａ、３５ａの角部３４ｃ、３５ｃが互いに４５度となるように角と角が一致しないように設置したこと構成とする。これによれば、第５実施の形態と同じく膨張比ｍによって音波を干渉させるものであるから、音波が管路内を通過するとき、２段の膨張管の音波が管路内を通過するとき、２段膨張管の立方体の角が互いに一致させたものより、非対象性が緩和でき、騒音が効果的に低減し、機械室からの漏れ音が低減される。
【００５４】
本発明の第７実施の形態を説明する。図示しないが膨張管の形状を正立方体とし、三辺の長さ寸法を互いに同一とする構成とする。これによれば、音波の波長が１／４波長のとき最も最大の減音を示し、膨張管の立方体の三辺が互いに一致させたことにより三辺ともに波長が一致するため、騒音が効果的に低減し、機械室からの漏れ音が低減される。
【００５５】
本発明の第８実施の形態を図１３に基づいて説明する。機械室で発生する騒音の周波数をカットする膨張管の長さＬに対して、０．７Ｌを入れ口管あと尾管３３が膨張管３１と連結される連結部３６間の長さとし、１．３Ｌを膨張管外周部３７の長さとして膨張管の径方向に徐々に勾配ももたせたこと構成とする。これによれば、音波の波長が１／４波長のとき最も最大の減音を示すことから、膨張管のＬ寸法に勾配をもたせることによって、２７０Ｈｚを中心とした範囲内の周波数域でもって減音するときに効果がある。例えば、１９０Ｈｚ〜３５０Ｈｚ程度の周波数帯域をもった騒音に対して、騒音が効果的に低減し、機械室からの漏れ音が低減される。
【００５６】
本実施の形態では、膨張管の外径側にいくほどＬを大きくしたが、その逆で外径にいくほど、Ｌを小さくしても良い。
【００５７】
本発明の第９実施の形態を図１４に基づいて説明する。図１４（ａ）のように膨張管３１内に膨張管の穴貫通方向長さＬの１／２まで入り口管３２を挿入したこと構成とする。これによれば、図１４（ｂ）の曲線ａで示すように、偶数倍の２ｆ、６ｆ、１０ｆ、１４ｆ、１８ｆ、…の周波数で減音される特性の減音効果があり、騒音が効果的に低減し、機械室からの漏れ音が低減される。
【００５８】
本発明の第１０実施の形態を図１５に基づいて説明する。図１５（ａ）のように、膨張管３１内に膨張管長さＬの１／２まで尾管３３を挿入したこと構成とする。これによれば、図１５（ｂ）の曲線ａように奇数倍の周波数で減音される特性が、４ｆ、１２ｆ、…の偶数倍の周波数においても減音効果があり、第９実施の形態より偶数倍の騒音が効果的に低減し、機械室からの漏れ音が低減される。
【００５９】
本発明の第１１実施の形態を図１６に基づいて説明する。図１６（ａ）のように膨張管３１内に膨張管長さＬの１／４まで入り口管３２端を挿入し、かつ膨張管３１内に膨張管長さＬの１／４まで尾管３３端を挿入したこと構成とする。これによれば、図１６（ｂ）の曲線ａのように全域周波数で減音される特性の減音効果があり、前述の第９、１０実施の形態より偶数倍の騒音が効果的に低減し、機械室からの漏れ音が低減される。
【００６０】
本発明の第１２実施の形態を図１７に基づいて説明する。膨張管３１、入り口管３２、尾管３３の内壁に吸音材２５を貼り付け、膨張管３１の長さＬ１をかっと周波数に必要な長さＬの１．２倍とした構成とする。これによれば、吸音材の吸音特性が増し、高音域で減音される特性の減音効果があり、騒音が効果的に低減し、機械室からの漏れ音が低減される。図１８の曲線ａに示す測定結果より、補正係数τとして式（５）で示すことができる。
【００６１】
Ｌ１＝（τ／４）×λ（２ｎ＋１）
巻上げ機の騒音は２７０Ｈｚが主成分となる場合、膨張管３１の長さＬ１を（１／４波長）×１．２相当および１／２波長相当に合わせてあるから、音波の位相がずれて逆位相になり、音波が干渉作用により互いに打ち消すあって大幅に減衰され、曲線ａのようになりこれによって、２７０Ｈｚの騒音が大幅に低減される。
【００６２】
このようにして機械室からの漏れ音が低減される。即ち、補正係数τ＝１．２を入れれば本実施の形態ではＬ１＝３７．８ｃｍとなる。また、減音効果を示すのにもう１つの要因でもある膨張管３１と入り口管３２および尾管３３の断面積の比をできるだけ大きくすることにより、減音効果を増加させることは、いうまでもない。
【００６３】
なお、上記実施の形態では膨張管および尾管の長さの２７０Ｈｚを設定したが、これに限らず、騒音に応じて適宜選択すれば良い。
【００６４】
さらに、膨張管、入り口管および尾管の内面には、例えば、多孔質プラスチイク、グラスウール、フェルト・ロック・ウール、アルミ焼結材かなどのいずれからなる吸音材２５を取着する。この実施の形態では、３０ｃｍ厚さのロック・ウールを接着剤で貼り付けている。
【００６５】
本発明の第１３実施の形態を図１９に基づいて説明する。図のように前記実施の形態の吸音材２５を、膨張管３１の内側壁３１ｄに対して５ｃｍから１０ｃｍまで離した位置に取り付けた構造としている。図１９（ｂ）に示すように吸音材の効果は、壁面３１ｄとの距離をおくことによって効果が増大する。これによれば、吸音材の背後に空気層を設けることによって、低周波数の吸音率を向上させるものである。その理由は、波長の長い音（低周波数の音）に対して、壁面３１ｄから離れることによって、抵抗による損失と粒子速度の最大となる部分で一致するため有効に低減作用する。吸音材の特性が最大限に作用する位置であり、高音域で減音される特性の減音効果があり、騒音が効果的に低減し、機械室からの漏れ音が低減される。
【００６６】
本発明の第１４実施の形態を図２０に基づいて説明する。貫通穴を通すための床穴２９と、床穴に尾管３３を挿入しシンダーコンクリート１９ａに埋め、尾管３３と膨張管３１をボルト２８などの連結組立てが可能として膨張管３１と尾管３３を分割したした構成とする。これによれば、現地での組立てが簡易になり作業性が向上する。この例では床上に膨張管３１を設けたが、入り口管３２を床穴２９に固定し、膨張管３１を床下側に配置することもできる。
【００６７】
【発明の効果】
本発明によれば、機械室の装置や機器の大形化及び全体のコスト低減を抑制しつつ、巻上げ機等からの発生する音が昇降路、乗りかご及びエレベーターホール等に伝搬して騒音となることを防止することができる。
【図面の簡単な説明】
【図１】  本発明の第１実施の形態を示す要部断面図。
【図２】  （ａ）は本発明の第１実施の形態の断面図、（ｂ）は貫通穴の平面略図。
【図３】  （ａ）（ｂ）（ｃ）（ｄ）は膨張比ｍと周波数、減音量の関係の曲線図。
【図４】  膨張比ｍと減音量の関係の曲線図。
【図５】  （ａ）は第１実施の形態特性を示す巻き上げ機駆動に伴う騒音レベルの低減効果を示す曲線図、（ｂ）は第１実施の形態の周波数に対する騒音レベルと低減効果を示す曲線図。
【図６】  （ａ）は第１実施の形態の消音装置の斜視図、（ｂ）は変形例の斜視図。
【図７】  （ａ）（ｂ）（ｃ）は第２実施の形態の減音量を説明する曲線図。
【図８】  第３実施の形態の断面図。
【図９】  第３実施の形態の減音を説明する曲線図。
【図１０】  第４実施の形態を示す断面図。
【図１１】  第５実施の形態を示す斜視図。
【図１２】  第６実施の形態を示す斜視図。
【図１３】  第８実施の形態を示す断面図。
【図１４】  （ａ）は第９実施の形態の断面図、（ｂ）はその特性図。
【図１５】  （ａ）は第１０実施の形態の断面図、（ｂ）はその特性図。
【図１６】  （ａ）は第１１実施の形態の断面図、（ｂ）はその特性図。
【図１７】  第１２実施の形態の断面図。
【図１８】  第１２実施の形態の減音特性図。
【図１９】  （ａ）は第１３実施の形態を示す断面図、（ｂ）はその減音作用を説明する図。
【図２０】  第１４実施の形態を示す断面図。
【図２１】  （ａ）（ｂ）はそれぞれ従来技術を示す断面図。
【図２２】  （ａ）（ｂ）はそれぞれ従来技術の特性および作用を説明する図。
【図２３】  従来技術の特性を説明する図。
【符号の説明】
１０：機械室
１１：巻き上げ機
１２：メインシーブ
１３：制御装置
１４：ダンパ装置
１５：昇降路
１６：主ロープ
１７：乗りかご
１８：釣り合い錘
１９：床
２０：貫通穴
２１、２２：エレベーターホール
２５：吸音材
２８：ボルト
３１：膨張管
３２：入り口管
３３：尾管
Ｓ１：膨張管断面積
Ｓ２：入り口管断面積
Ｓ３：尾管断面積
Ｌ１：膨張管の長さ
【図１】
0004159267.tif 000002
【図２】
0004159267.tif 000003
【図３】
0004159267.tif 000004
【図４】
0004159267.tif 000005
【図５】
0004159267.tif 000006
【図６】
0004159267.tif 000007
【図７】
0004159267.tif 000008
【図８】
0004159267.tif 000009
【図９】
0004159267.tif 000010
【図１０】
0004159267.tif 000011
【図１１】
0004159267.tif 000012
【図１２】
0004159267.tif 000013
【図１３】
0004159267.tif 000014
【図１４】
0004159267.tif 000015
【図１５】
0004159267.tif 000016
【図１６】
0004159267.tif 000017
【図１７】
0004159267.tif 000018
【図１８】
0004159267.tif 000019
【図１９】
0004159267.tif 000020
【図２０】
0004159267.tif 000021
【図２１】
0004159267.tif 000022
【図２２】
0004159267.tif 000023
【図２３】
0004159267.tif 000024